(57)【特許請求の範囲】
【請求項１】
建物の壁に対して命綱を固定するための命綱固定装置において、
溝部分（１１）を備えたクリップ（１０）を設け、該溝部分（１１）の一端部（１１ａ）を耳片（１２）により延伸させ、該溝部分（１１）の他端部（１１ｂ）を第１の耳片（１２）に対して平行な第２の耳片（１５）により延伸させると共に、
命綱に取り付けられることを可能にする長手方向スロット（７）を形成した２つのスリーブ（３および４）を設け、各スリーブには前記溝部分（１１）と命綱との間に挿入させるようにした筒状部分（６）を備え、
前記クリップが前記２つの平行な耳片によって前記壁に取り付けられるようにしたことを特徴とする命綱固定装置。
【請求項２】
前記固定装置が留め金（２０）を備え、該留め金には壁に埋設されている部材に固着させるようにしたコア（２０ｃ）と２つのフランジ（２０ａおよび２０ｂ）とを備え、前記留め金のフランジ（２０ａおよび２０ｂ）と耳片（１２，１５）には各々孔（２２，２３；１４，１７）を形成し、ナット‐ボルト固定具（３０，３３）が前記孔に通され得るように前記孔を一直線に整列させたことを特徴とする請求項１に記載の命綱固定装置。
【請求項３】
留め金（２０）のフランジ（２０ａ，２０ｂ）を耳片（１２，１５）の間に配置させることを特徴とする請求項１に記載の命綱固定装置。
【請求項４】
耳片の一方（１５）の孔の１つ（１７）と、留め金のフランジの対応孔（２２）とを正方形にし、ボルト（３０）にはその頭部の近くに前記孔に挿入させるようにした正方形断面の肩部（３１）を備えたことを特徴とする請求項１に記載の命綱固定装置。
【発明の詳細な説明】
【０００１】
【発明が属する技術分野】
本発明は建物の壁に対して命綱を固定するための命綱固定装置に関するものである。
【０００２】
本発明は、特に、建物の正面、建物の台石又は建物の屋根部材に水平に固定されかつ可動部材を取付けることができるケーブルまたはロッドから成る命綱に関するもので、建築物に沿って作業している作業者が偶発的に落下するのを防止するためにその一端を作業員に備えたハーネスまたはベルトに接続させたケーブルの他端を前記可動部材に取付けるようにしてある。
【０００３】
【従来の技術】
建物の正面に埋設されている定着部材には一般に固定装置を介して命綱を取付けるようになっている。
【０００４】
【発明が解決しようとする課題】
一定の取り付け時間に多数の定着部材に取付けねばならず、固定装置はケーブルを部分的にまたは全体的に取り外すことなしには分解又は交換させることはできない。
【０００５】
本発明はこの欠点を除去し、迅速かつ簡単に命綱を定着部材に取付けることができ、分解が容易で、各種の部材の交換を簡単に行うことができる命綱固定装置を提供することにある。
【０００６】
【課題を解決するための手段】
本発明による建物の壁に対して命綱を固定するための命綱固定装置は留め金とクリップと２つのスリーブとから成り、留め金には壁に埋め込まれた部材に固定させるようにしたコアと２つのフランジとを備え、クリップには溝部分を備え、溝部分の一端を溝部分の軸線に対して垂直に屈曲させた耳片により延伸し、溝部分の他端を他端において第１の耳片に対して平行な第２の耳片により延伸させ、２つのスリーブを或る程度の弾性力を有する材料から形成し、これらのスリーブには命綱に取り付けられることを可能にする長手方向スロットを形成し、各スリーブには溝部分と命綱との間に挿入させるようにした筒状部分と自由端に向かって細くなっている先細状部分とを設け、留め金のフランジと耳片とに各々孔を形成し、該孔をナット−ボルト固定具が前記孔に通され得るように一直線に整列させたことを特徴とするものである。
【０００７】
本発明による命綱固定装置は、従って、命綱を取り外すことなく分解、交換、または再付着させ得る。
【０００８】
本発明の１つの構造的特徴によれば、留め金のフランジは耳片の間に配置されている。
【０００９】
最後に、本発明の最終の特徴によれば、耳片の一方の孔の１つおよび留め金のフランジの対応する孔が正方形であり、そしてボルトは孔に挿入されるようになっているその頭部の近くに正方形断面の肩部を有している。ボルトは、それゆえ、ナットが締め付けられるとき保持され、それはクリップを留め金に固定するのを容易にしている。
【００１０】
【実施の形態】
本発明を以下に添付図面に示した実施例について詳細に説明する。
【００１１】
図１は金属から形成されかつ壁２に対して水平に固定されるロッドまたはケーブルからなっている命綱１を示している。
【００１２】
ロッド１上には２つのプラスチツク材料製スリーブ３および４が係合され、各スリーブ３，４は小さい基部を構成する一端５ａから大きい基部を構成する肩部５ｂに延伸する切截円錐形部分５を有し、そして筒状部分６により延伸している。
【００１３】
スリーブ３，４のプラスチツク材料は弾性材料であり、スリーブ３，４には端部５ａから筒状部分６の自由端まで延伸するスロット７が設けられている。従って、スリーブ３，４はスロット７を弾力的に開くことによりロッド１上のどこにでも取り付けられ得る。
【００１４】
筒状部分６の一部分には舌片８が設けられている。
【００１５】
固定装置は内径が筒状部分６の外径より僅かに小さい溝部分１１を備えるように切断されかつ形成された多少の弾性を有する金属から形成されたクリップ１０（図２参照）を有している。
【００１６】
溝部分１１はほぼ２７０°の角度に対する円弧形状の断面を有し、そして一端において耳片１２により一縁部１１ａに沿って延伸し、該耳片１２はその自由端１２ａが溝部分１１の軸線に対して垂直な平面内にあるように屈曲されている。
耳片１２は円形孔１４を備えている。
【００１７】
他方の縁部１１ｂに沿ってかつ耳片１２を備えた端部と反対の端部に、溝部分１１は自由端１５ａが溝部分１１の軸線に対して垂直であるように屈曲されている第２の耳片１５により延伸している。２つの耳片１２および１５は平行である。
【００１８】
耳片１５はその自由端の近傍に正方形の孔１７を有し、そして孔１４および１７は一直線に整列されている。
【００１９】
最後に、本固定装置は２つのフランジ２０ａおよび２０ｂおよびコア２０ｃを有する留め金２０（シャックル）によって完成される。フランジ２０ａは孔１７と同一の寸法を有する正方形の孔２２を備え、そしてフランジ２０ｂは孔２２に対応する孔２３を備えている。
【００２０】
コア２０ｃは建物の壁に埋設されかつナット２８を収容するネジ付きロッド用の孔２５を備えている。
【００２１】
命綱を建物に沿って水平に取り付けるために、建物の壁の肉厚中に埋設されかつその自由端が孔２５を貫通するネジ付きロッド２６の自由端に螺合されるナット２８によって留め金２０を規則的な間隔で建物の壁に固定させる。
【００２２】
スリーブ３および４を、次いで、筒状部分６の自由端がその自由端間に間隙を有して互いに対面するようにロッド１に嵌合させ、その後クリップ１０をロッド１上に嵌合し、そしてスリーブ３および４を、次いで、筒状部分６が溝部分１１に挿入されるように押圧させ、舌片８の自由端を肩部５ｂに対して当接させかつ溝部分１１の開放部分に横たえる。クリップ１０は、その場合に、耳片１２および１５がフランジ２０ａおよび２０ｂの対向側にあるように配置される。留め金２０とクリップ１０は正方形肩部３１を備えた頭部３２を有するボルト３０によってともに固着される。ボルト３０は孔１７，２２，２３および１４を貫通しかつナット３３を収容する。肩部３１は孔１７および２２に挿入される。
【００２３】
本発明は上述しかつ図面に示した実施例に限定するものではなく、本発明の範囲から逸脱することなく各種の変更及び変形を実施例に行うことができる。
【００２４】
【発明の効果】
本発明は、上述した構成であるから、命綱を簡単かつ迅速に固定することができると共に確実かつ強固に固定することができ、又命綱を取外すことなく、分解が容易で、各種の部材の交換を簡単に行うことができる。
【図面の簡単な説明】
【図１】本発明による固定装置の分解斜視図である。
【図２】クリップを示す拡大斜視図である。
【図３】スリーブを示す拡大斜視図である。
【図４】組み立てられた固定装置を示す斜視図である。
【符号の説明】
１          ロッド
３          スリーブ
４          スリーブ
５          切截円錐状部分
５ａ        一端部
５ｂ        肩部
６          筒状部分
７          スロット
８          舌片
１０        クリップ
１１        溝部分
１２        耳片
１４        孔
１５        耳片
１７        孔
２０        留め金
２０ａ      フランジ
２０ｂ      フランジ
２０ｃ      コア
２２      正方形の孔
２３      孔
２６      ネジ付きロッド
２８      ナット
３０      ボルト
３１      肩部
３２      頭部
３３      ナット
【図１】
0004764553.tif 000002
【図２】
0004764553.tif 000003
【図３】
0004764553.tif 000004
【図４】
0004764553.tif 000005